(57)【要約】【課題】  手間をかけずに、過去に視聴した番組を視聴者に認識させることができる放送番組出力装置を提供することである。【解決手段】  視聴された番組の２次情報および視聴部分情報の履歴を視聴者別に履歴メモリとして視聴履歴記憶部１７に記憶し（Ｓ１４）、現在視聴している番組の２次情報が視聴履歴記憶部１７に記憶されているか照合検索を行ない（Ｓ８〜Ｓ１１）、現在視聴している番組の２次情報が検出された（Ｓ１０でＹＥＳ）場合に、現在視聴している番組が視聴済みである旨のメッセージ情報を、現在視聴している番組の映像情報に合成し、モニターに出力する（Ｓ１２）。【選択図】        図２
2005286365.tif 000002
【特許請求の範囲】
【請求項１】
既に視聴した放送番組である視聴済み放送番組を特定する履歴情報を記憶する履歴情報記憶手段と、
複数チャンネルの放送番組を受信する受信手段と、
視聴する放送番組のチャンネルに切替えるチャンネル切替手段と、
前記チャンネル切替手段によりチャンネルが切替えられた場合に、前記受信手段が受信中の放送番組であって切替えられたチャンネルの放送番組である受信中放送番組について、当該受信中放送番組を特定する受信情報が前記履歴情報記憶手段に記憶されているかの検索を行なう検索手段と、
前記検索手段により前記受信情報が検出された場合に、前記受信中放送番組が前記視聴済み放送番組である旨の情報を当該受信中放送番組とともに表示部に出力する制御手段とを備える、放送番組出力装置。
【請求項２】
前記検索手段は、前記チャンネル切替手段によりチャンネルが切替えられた場合に、前記受信中放送番組が再放送番組であるか否かを判断し、再放送番組である前記受信中放送番組について前記検索を行なう、請求項１に記載の放送番組出力装置。
【請求項３】
前記履歴情報は、当該履歴情報から特定される視聴済み放送番組の放送時間に対する視聴時間の割合を特定する視聴割合情報を含み、
前記制御手段は、前記検索手段により前記受信情報が検出された場合に、さらに、前記視聴済み放送番組の前記視聴割合情報に応じた情報を前記受信中放送番組とともに表示部に出力する、請求項１に記載の放送番組出力装置。
【請求項４】
前記検索手段は、前記チャンネル切替手段によりチャンネルが切替えられた場合に、前記受信中放送番組の属するカテゴリに応じて、当該受信中放送番組について前記検索を行なうか否か決定する、請求項１に記載の放送番組出力装置。
【請求項５】
前記履歴情報は、当該履歴情報から特定される視聴済み放送番組を視聴した視聴者を特定する視聴者情報を含み、
前記制御手段は、前記検索手段により前記受信情報が検出された場合に、さらに、前記視聴済み放送番組の前記視聴者情報に応じた情報を前記受信中放送番組とともに表示部に出力する、請求項１に記載の放送番組出力装置。
【請求項６】
前記制御手段は、前記チャンネル切替手段によりチャンネルが切替えられてから所定時間経過後に、前記受信中放送番組が前記視聴済み放送番組である旨の情報を当該受信中放送番組とともに表示部に出力する、請求項１〜請求項５のいずれかに記載の放送番組出力装置。
【発明の詳細な説明】
【技術分野】
【０００１】
本発明は、切替えたチャンネルの放送番組を表示部に出力する制御手段を備えた放送番組出力装置に関し、特に、視聴者が視聴済みの放送番組を再度視聴してしまうことを効果的に防止できる機能を備える放送番組出力装置に関する。
【０００２】
本発明に係る放送番組出力装置に該当するものの例としては、テレビジョン受信機、ビデオテープレコーダ、または、プロジェクタ等に用いられる。
【背景技術】
【０００３】
従来から、電子番組表の番組欄に視聴済みの番組が含まれている場合に、該番組が視聴済みである旨の表示を当該番組欄に含ませた電子番組表を作成し、番組を表示するための表示部に該電子番組表を表示することにより、以前見たことがある番組とそうでない番組とを区別できるもの（特許文献１、特許文献２）があった。
【特許文献１】特開平１１−２６１９１７号公報
【特許文献２】特開２０００−５０１８０号公報
【発明の開示】
【発明が解決しようとする課題】
【０００４】
しかしながら、前述のような放送番組出力装置では、電子番組表を表示させないことには、現在視聴している番組が視聴済みであるかそうでないかを視聴者に認識させることができなかった。すなわち、視聴前か視聴中に、電子番組表を表示部に表示させる作業を行なう必要があった。このため、視聴者は、番組の視聴を中止し、電子番組表を表示させる作業を行なう必要があり、手間がかかっていた。
【０００５】
本発明は、上記のような課題を解決するためになされたものであって、手間をかけずに、過去に視聴した番組を視聴者に認識させることができる放送番組出力装置を提供することである。
【課題を解決するための手段】
【０００６】
上記の課題を解決するために、この発明のある局面に従う放送番組出力装置は、既に視聴した放送番組である視聴済み放送番組を特定する履歴情報を記憶する履歴情報記憶手段と、複数チャンネルの放送番組を受信する受信手段と、視聴する放送番組のチャンネルに切替えるチャンネル切替手段と、チャンネル切替手段によりチャンネルが切替えられた場合に、受信手段が受信中の放送番組であって切替えられたチャンネルの放送番組である受信中放送番組について、受信中放送番組を特定する受信情報が履歴情報記憶手段に記憶されているかの検索を行なう検索手段と、検索手段により受信情報が検出された場合に、受信中放送番組が視聴済み放送番組である旨の情報を受信中放送番組とともに表示部に出力する制御手段とを備える。
【０００７】
好ましくは、検索手段は、チャンネル切替手段によりチャンネルが切替えられた場合に、受信中放送番組が再放送番組であるか否かを判断し、再放送番組である受信中放送番組について検索を行なう。
【０００８】
好ましくは、履歴情報は、履歴情報から特定される視聴済み放送番組の放送時間に対する視聴時間の割合を特定する視聴割合情報を含み、制御手段は、検索手段により受信情報が検出された場合に、さらに、視聴済み放送番組の視聴割合情報に応じた情報を受信中放送番組とともに表示部に出力する。
【０００９】
好ましくは、検索手段は、チャンネル切替手段によりチャンネルが切替えられた場合に、受信中放送番組の属するカテゴリに応じて、受信中放送番組について検索を行なうか否か決定する。
【００１０】
好ましくは、履歴情報は、履歴情報から特定される視聴済み放送番組を視聴した視聴者を特定する視聴者情報を含み、制御手段は、検索手段により受信情報が検出された場合に、さらに、視聴済み放送番組の視聴者情報に応じた情報を受信中放送番組とともに表示部に出力する。
【００１１】
好ましくは、制御手段は、チャンネル切替手段によりチャンネルが切替えられてから所定時間経過後に、受信中放送番組が視聴済み放送番組である旨の情報を受信中放送番組とともに表示部に出力する。
【発明の効果】
【００１２】
本発明に係る放送番組出力装置によると、視聴済み放送番組を特定する履歴情報を記憶し、受信中放送番組を特定する受信情報が記憶されているか検索し、検出された場合に、受信中放送番組が視聴済みである旨の情報を、受信中放送番組とともに表示部に出力することができる。これにより、視聴者は、手間取ることなく、受信中放送番組が視聴済みであることを認識することができる。また、視聴者は、視聴済みであることを知らずに、誤って再度視聴してしまうことを容易に回避することができる。
【発明を実施するための最良の形態】
【００１３】
以下の実施の形態においては、放送番組出力装置の一例として番組を表示するための表示装置を備えたテレビジョン受信機を示すが、本発明は放送番組を表示する表示装置（たとえば、モニター等）を備えるものに限らず、放送番組を表示部に出力する制御手段を備えた放送番組出力装置に関し、特に、視聴者が視聴済みの放送番組を再度視聴してしまうことを効果的に防止できるものであればすべてに適用することが可能である。以下に、本発明の実施の形態を図面に基づいて詳細に説明する。
【００１４】
図１は、本実施の形態におけるテレビジョン受信機１の内部構成例を説明するための図である。この例におけるテレビジョン受信機１は、番組を提供する放送局（図示省略）からの複数の放送波を受信する。テレビジョン受信機１は、受信した複数の放送波を、アンテナ付の受信装置である放送番組受信部１０により受信する。なお、本実施の形態における放送波は、１次情報と、２次情報とが多重化され構成されている。そして、１次情報は、番組を表示するための映像情報と、該映像に対応した音を発生させるための音声情報とを含んでいる。また、２次情報は、番組のタイトルを特定するための番組タイトル情報と、番組の放送日時を特定するための番組放送日時情報と、番組の出演者を特定するための番組出演者情報と、番組の属する種類を特定するためのカテゴリ情報と、番組の内容を特定するための番組内容情報とを含んでいる。
【００１５】
放送番組受信部１０は、受信した複数の放送波のうち、設定チャンネルの放送波を信号判定部１２に出力する。本実施の形態における設定チャンネルは、視聴者がリモートコントローラを操作し設定されたチャンネルであって、リモートコントローラからの信号に基づきチャンネル切替部１１により切替えられ設定されたチャンネルである。
【００１６】
信号判定部１２は、放送番組受信部１０から入力される放送波から、１次情報と２次情報とを分離するための判定を行なう。信号判定部１２は、分離した放送波のうち、１次情報を表示部１８に出力し、２次情報を２次情報記憶部１３に出力する。表示部１８は、入力された１次情報に含まれる映像情報と音声情報とに基づき、表示装置としてのモニター（図示省略）に表示する制御と、音響装置としてのスピーカ（図示省略）から音声を発生する制御とを行なう。２次情報記憶部１３は、入力された２次情報を一時的に記憶し、該２次情報を制御部１５に出力する。よって、視聴者によりチャンネルが切替えられたときには、切替えられたチャンネルの番組が表示部１８によりモニター等に表示され、切替えられたチャンネルの番組の２次情報が２次情報記憶部１３により一時的に記憶され、制御部１５に出力されることとなる。
【００１７】
視聴者情報管理部１４は、視聴者を特定するための視聴者情報を管理しており、設定されている視聴者情報を制御部１５に出力する。本実施の形態における視聴者情報管理部１４は、視聴者がリモートコントローラを操作し設定した視聴者情報を制御部１５に出力する。制御部１５は、前記した２次情報や視聴者情報等に基づき各種制御信号を送信し、検索部１６と表示部１８とメッセージ出力部１９とを制御する。なお、本実施の形態における制御部１５は、少なくともプログラムメモリやワークメモリを搭載している。プログラムメモリには、制御部１５が各種制御処理を実行する上で必要なプログラムが記憶されている。ワークメモリには、制御部１５が各種制御処理を実行する上において必要なデータやプログラムなどが適宜記憶される。
【００１８】
制御部１５は、１次情報に基づく映像をモニターに表示させ音声をスピーカから出力させる映像音声制御を行なうための映像音声制御信号を表示部１８に出力する。表示部１８は、映像音声制御信号が入力されると、設定チャンネルの番組の映像をモニターに表示し、設定チャンネルの番組の音声をスピーカから出力する映像音声制御を行なう。
【００１９】
また、制御部１５は、入力された２次情報と視聴者情報とを検索部１６に出力する。さらに、制御部１５は、検索部１６に照合検索制御を行なわせる照合検索制御信号を出力する。検索部１６は、照合検索制御信号が入力されると、視聴履歴記憶部１７に記憶された履歴メモリであって視聴者情報から特定される視聴者に対応する履歴メモリに含まれる２次情報の中に、制御部１５から入力される２次情報と同一のものがあるか照合し検索を行なう。すなわち、検索部１６は、照合検索を行なうことにより、視聴者が現在の設定チャンネルの番組を既に視聴したことがあるか否か判断している。
【００２０】
さらに、制御部１５は、予め定められた設定時間以上視聴された設定チャンネルの２次情報と、そのときの視聴者情報とを各々対応付け、履歴メモリとして視聴履歴記憶部１７に記憶する制御を行なう。また、制御部１５は、チャンネルが切替えられたときにも、切替えられる前の設定チャンネルの番組について、２次情報に含まれる番組放送日時情報から特定される番組の放送時間に対し視聴した部分を特定するための視聴部分情報や、視聴された日時を特定するための視聴日時情報とを各々対応付け、履歴メモリとして視聴履歴記憶部１７に記憶する制御を行なう。これにより、視聴履歴記憶部１７は、視聴された番組の２次情報および視聴部分情報の履歴を視聴者別に履歴メモリとして記憶することができる。すなわち、視聴履歴記憶部１７には、誰が、どの番組を視聴し、当該番組のどの部分を視聴したかが記憶される。
【００２１】
なお、検索部１６は、視聴履歴記憶部１７に記憶された履歴メモリに基づき照合検索した結果、現在の設定チャンネルの番組が同一視聴者により既に視聴されていると判断したときに、履歴情報有信号を制御部１５に出力する。履歴情報有信号は、既に視聴されている旨の情報と、視聴部分情報と、視聴日時情報とを含む。
【００２２】
制御部１５は、検索部１６から履歴情報有信号が入力されると、当該履歴情報有信号に含まれる情報に基づくメッセージを出力するメッセージ出力制御を行なうためのメッセージ出力制御信号を、メッセージ出力部１９に出力する。メッセージ出力部１９は、映像に対して、メッセージ出力制御信号に基づくメッセージを重ね合わさるためのメッセージ情報を、表示部１８に出力する。表示部１８は、信号判定部１２から入力された映像情報に、メッセージ出力部１９から入力されたメッセージ情報を合成し、モニターに表示する制御を行なう。
【００２３】
なお、メッセージ出力部１９は、たとえば、ＯＳＤ（On Screen Display）回路であってもよい。ＯＳＤ回路は、メッセージ出力制御信号に基づくメッセージに対応する文字またはグラフ等から成る画像のデータを生成し、生成した画像データを映像に対して、全体が重ね合わさるように合成したり、または、映像に対してメッセージ出力制御信号に基づくメッセージに対応する文字などが部分的に表示されるように合成したりするなどして、合成された映像を出力する回路である。
【００２４】
次に、本実施の形態によるテレビジョン受信機１の制御動作のうち、照合検索制御およびメッセージ出力制御について説明する。図２は、照合検索制御およびメッセージ出力制御を行なうときのプログラムを説明するためのフローチャートである。
【００２５】
まず、ステップ（以下、Ｓという）１において、視聴者がリモートコントローラを操作し設定した視聴者情報を取得する処理が行なわれる。すなわち、視聴者情報管理部１４から制御部１５に視聴者がリモートコントローラを操作し設定した視聴者情報が入力される処理が行なわれる。Ｓ２においては、電源投入時であるか、または、視聴者によりチャンネル切替えが行なわれたかを判別する処理が行なわれる。なお、本実施の形態においては、Ｓ２においてチャンネル切替えが行なわれるまで、Ｓ２においてループ制御が行なわれ、Ｓ３以降の照合検索制御およびメッセージ出力制御が行なわれない。そして、チャンネル切替えが行なわれると、Ｓ３以降の照合検索制御およびメッセージ出力制御が行なわれる。
【００２６】
電源投入時であるとき、または、チャンネル切替えが行なわれたときには、Ｓ３において、現在の設定チャンネルの番組の１次情報および２次情報を取得する処理が行なわれる。すなわち、信号判定部１２により分離された放送波のうち、１次情報を表示部１８に出力し、２次情報を２次情報記憶部１３に出力する処理が行なわれる。
【００２７】
Ｓ４においては、経過時間を初期化する処理が行なわれる。本実施の形態における経過時間とは、チャンネル切替後、当該チャンネルの番組が視聴されている間、制御部１５により計時された時間をいう。Ｓ５においては、視聴時間を計時する処理が行なわれる。Ｓ６においては、Ｓ５により計時された経過時間が、予め設定された設定時間以上であるか否かを判別する処理が行なわれる。Ｓ６により設定時間に到達していない旨の判別がなされたときには、Ｓ７においてチャンネルが再度切替えられたか否かを判別する処理が行なわれる。チャンネルが再度切替えられていないときにはＳ５に移行する。一方、Ｓ７においてチャンネルが再度切替えられたときには、Ｓ４において経過時間を初期化する処理が行なわれる。これにより、現在視聴している番組が設定時間以上視聴されたときに、照合検索制御およびメッセージ出力制御が行なわれる。
【００２８】
Ｓ６において、経過時間が設定時間に到達した旨の判別がなされたときには、Ｓ８において照合を行なうカテゴリか否かを判別する処理が行なわれる。すなわち、現在の設定チャンネルの番組の２次情報に含まれるカテゴリ情報が、照合検索を行なう必要のあるカテゴリ情報であるか否かを判別する処理が行なわれる。本実施の形態における照合検索を行なう必要のあるカテゴリ情報とは、何度も放送される可能性がある番組の属する種類を特定するためのカテゴリ情報であって、たとえば、映画、ドラマ等を特定するためのカテゴリ情報が該当する。一方、照合検索を行なう必要のないカテゴリ情報とは、同様の番組タイトルであっても、その内容（番組内容情報）が毎回異なる番組の属する種類を特定するためのカテゴリ情報であって、たとえば、ニュース番組、スポーツ番組、料理番組、歌番組等を特定するためのカテゴリ情報が該当する。
【００２９】
Ｓ８において照合を行なう必要がないカテゴリである判定がなされたときには、そのまま終了する。一方、Ｓ８において照合を行なう必要があるカテゴリである判別がなされたときには、Ｓ９において視聴者の履歴メモリを参照する処理が行なわれる。視聴者の履歴メモリを参照する処理とは、検索部１６が、視聴履歴記憶部１７に記憶された履歴メモリであって視聴者情報から特定される視聴者に対応する履歴メモリに含まれる２次情報（番組放送日時情報を除く）の中に、制御部１５から入力される２次情報と同一のものがあるか照合し検索を行なう処理をいう。すなわち、制御部１５により、照合検索制御が行なわれる。
【００３０】
Ｓ１０においては、２次情報が同一の履歴メモリであったか否かを判別する処理が行なわれる。同一でないときには、Ｓ１１において履歴メモリの検索を終了するか否か判別する処理が行なわれる。すなわち、視聴履歴記憶部１７に記憶されている履歴メモリであって視聴者情報から特定される視聴者に対応するすべての履歴メモリに含まれる２次情報との照合が行なわれたか否かを判別する処理が行なわれている。Ｓ１１において終了しない旨の判別がなされたときにはＳ９に再度移行される。Ｓ１１において終了する旨の判別がなされたときには後述するＳ１４に移行する。
【００３１】
一方、Ｓ１０において２次情報が同一の履歴メモリである判別がなされたときには、Ｓ１２において同一と判別された履歴メモリの内容をモニターに表示する処理が行なわれる。すなわち、制御部１５により、検索部１６から入力された視聴している番組の２次情報と同一の２次情報を含む履歴情報有信号に基づくメッセージ出力制御信号を、メッセージ出力部１９に出力する処理が行なわれる。そして、メッセージ出力部１９により、メッセージ出力制御信号に基づくメッセージ情報を、表示部１８に出力する処理が行なわれる。表示部１８は、入力された映像情報とメッセージ情報とに基づき、モニターに表示する制御を行なう。これにより、現在視聴している番組について、以前視聴したことがある番組であること、当該番組が開始されてから終了するまでのうち視聴した部分、当該番組を視聴した日時等を、視聴者に報知することができる。なお、本実施の形態におけるメッセージ情報は、チャンネルが切替えられてから所定時間経過（たとえば、制御部１５により５分間計時）後に、表示部１８からモニターに出力する処理が行なわれる。たとえば、Ｓ２またはＳ７においてチャンネルが切替えられてから所定時間経過後に、Ｓ１２においてメッセージ表示を行なうようにしてもよい。また、Ｓ１０において２次情報が同一の履歴メモリであった判別がなされてから所定時間経過後に、Ｓ１２においてメッセージ表示を行なうようにしてもよい。
【００３２】
Ｓ１３においては、履歴メモリに再登録するか否かを判別する処理が行なわれる。すなわち、２次情報が全く同一の履歴メモリがすでに記憶されているときであっても、視聴した部分に差異がある（視聴部分情報が異なる）場合も考えられ、その場合に異なる部分に対応した視聴部分情報を再登録する必要があるためである。たとえば、前回は番組の後半部分（具体的に、１時間番組であれば開始後３０分してから終了するまでの部分）を視聴し、今回は番組の前半部分（具体的に、１時間番組であれば開始されてから３０分経過するまでの部分）を視聴した場合には、新たに当該番組の履歴メモリとして前半部分を視聴した視聴部分情報を再登録する必要があるためである。Ｓ１３において再登録する判別がなされたときにはＳ１４に移行し、再登録しない判別がなされたときにはそのまま終了する。
【００３３】
Ｓ１４においては、履歴メモリに登録する処理が行なわれる。履歴メモリに登録される内容（Ｓ１１でＹＥＳのとき）としては、現在視聴している番組の２次情報、視聴部分情報、視聴日時情報、視聴者情報が該当する。また、履歴メモリに再登録される内容（Ｓ１３でＹＥＳのとき）としては、以前視聴したことのある番組であって現在視聴していた番組の視聴部分情報、視聴日時情報が該当する。Ｓ１５においては、Ｓ１４で登録した内容を表示部１８に出力する処理を行ない、終了する。
【００３４】
図３は、図２のＳ１４で説明した履歴メモリに登録するときのサブルーチンプログラムを説明するためのフローチャートである。
【００３５】
まず、Ｓ３１においては、現在視聴している番組の２次情報に含まれるカテゴリ情報が、既に履歴メモリに登録されているか否かを判別する処理が行なわれる。すなわち、登録しようとする番組の２次情報に含まれるカテゴリ情報と同一のカテゴリ情報を含む２次情報が、視聴履歴記憶部１７に既に記憶されているか否かを判別する処理が行なわれる。Ｓ３１において未だ登録されていない判別がなされたときには、Ｓ３３において当該カテゴリ情報に対応する新規カテゴリ登録領域を作成する処理が行なわれ、Ｓ３２に移行する。なお、本実施の形態において、新規に作成された新規カテゴリを、図１のＳ８において説明した照合を行なう必要のあるカテゴリとするかについては、視聴者からのリモートコントローラの操作により設定することができる。Ｓ３１においてすでに登録されている判別がなされたときにもＳ３２に移行する。
【００３６】
Ｓ３２においては、カテゴリ情報別に、２次情報、視聴部分情報、視聴日時情報を各々対応付けて履歴メモリとして登録する処理が行なわれる。すなわち、Ｓ３１により同一と判別されたカテゴリの登録領域か、Ｓ３３により新規に作成されたカテゴリの登録領域に履歴メモリとして登録する処理が行なわれる。Ｓ３４においては、表示部１８により登録内容を表示する制御を行なうときの表示メッセージを作成する処理が行なわれる。作成された表示メッセージは、図２のＳ１５で説明した処理により表示部１８に出力される。
【００３７】
図４（ａ）は、図１で説明した視聴履歴記憶部１７に記憶される情報を説明するための図であり、図４（ｂ）は、図１で説明した２次情報記憶部１３に記憶される情報を説明するための図である。
【００３８】
まず、図４（ａ）を参照し、視聴履歴記憶部１７に記憶される履歴メモリの情報について説明する。本実施の形態における視聴履歴記憶部１７は、制御部１５により、予め定められた設定時間以上視聴された設定チャンネルの２次情報と、そのときの視聴者情報とを各々対応付けて、図２のＳ１４により記憶される。
【００３９】
視聴履歴記憶部１７に記憶される履歴メモリの情報として、当該番組のカテゴリ，番組タイトル，放送日時，出演者，番組内容，視聴時間についての情報が各々対応付けられて記憶される。これら記憶される情報のうち、番組カテゴリ、番組タイトル，放送日時，出演者，番組内容については、放送波から分離された２次情報に含まれるカテゴリ情報，番組タイトル情報，番組放送日時情報，番組出演者情報，番組内容情報に基づき記憶される。
【００４０】
また、視聴履歴記憶部１７に記憶される履歴メモリの情報のうちチャンネルについては、図１のチャンネル切替部１１により切替えられたチャンネルに基づき、そのチャンネル番号が記憶される。
【００４１】
さらに、視聴履歴記憶部１７に記憶される履歴メモリの情報のうち視聴時間については、チャンネル切替後または新たな番組放送開始後、当該チャンネルの番組が視聴されている間、制御部１５により計時された時間に基づき、当該チャンネルの番組が視聴された時間が記憶される。なお、本実施形態においては、番組放送日時情報と視聴時間情報とに基づき、当該番組の放送時間に対する視聴時間の割合および視聴部分を特定するための視聴部分情報が構成されている。
【００４２】
また、視聴履歴記憶部１７に記憶される履歴メモリの情報のうち視聴者については、視聴者情報管理部１４から出力される視聴者情報に基づき記憶される。なお、前記した各種情報は、カテゴリ情報から特定されるカテゴリに対応して設けられた登録領域に区分して登録される。以下、具体的に説明する。
【００４３】
まず、「ドラマ」のカテゴリに属する情報として、「２００４年２月２日」の「２１：００〜２１：５５」の時間帯に「６」チャンネルで放送された「大江戸物語（Ｊ、Ｋ、Ｌが出演）」の「第１話」のうち「１５〜４０」（すなわち、２１：１５〜２１：４０）の部分を、「父」により視聴されたことが登録されている。なお、「大江戸物語」は、毎週放送されており、「２００４年２月９日」には「第２話」のうち「０〜２５」と「３０〜５０」の部分が、「２００４年２月１６日」には「第３話」のうち「０〜５５」の全部分が、「２００４年２月２３日」には「第４話」のうち「１０〜５５」の部分を、「父」により視聴されたことが履歴として登録されている。
【００４４】
本実施の形態における検索部１６は、視聴履歴記憶部１７に記憶された履歴メモリに含まれる２次情報（カテゴリ情報，番組タイトル情報，番組出演者情報，番組内容情報）の中に、制御部１５から入力される２次情報（カテゴリ情報，番組タイトル情報，番組出演者情報，番組内容情報）と同一のものがあるか照合することにより、検索を行なう。よって、「第１話」、「第２話」、「第３話」、「第４話」の履歴について、２次情報のうちカテゴリ情報，番組タイトル情報，番組出演者情報が一致していても、番組内容情報が異なるため、Ｓ１２において同一と判別されず、現在視聴している番組について以前視聴したことがある番組である旨の報知が行なわれない。
【００４５】
なお、２次情報のうちカテゴリ情報，番組タイトル情報，番組出演者情報が一致する場合には、当該番組が連続ドラマ等である可能性が高いため、たとえば、「第４話」を視聴しているときに、「第１話」、「第２話」、「第３話」の履歴情報を参考に報知表示するようにしてもよい。なお、次回、当該番組の「第１話」、「第２話」、「第３話」、「第４話」等が再放送され、「父」により再視聴されているときには、Ｓ１２において同一と判別され、現在視聴している番組が以前視聴した番組である旨の報知が行なわれる。
【００４６】
次に、「映画」のカテゴリに属する情報として、「２００２年１１月２９日」の「４：００〜６：００」の時間帯に「１０」チャンネルで放送された「さむらい（Ｏ，Ｐ，Ｑが出演）」を「０〜５０」（すなわち、４：００〜４：５０）の部分を、「長男」により視聴されたことが登録されている。また、当該「さむらい（Ｏ，Ｐ，Ｑが出演）」は「２００２年１２月２９日」の「４：００〜６：００」の時間帯に「１０」チャンネルで再放送されており、「４５〜１２０」（すなわち、４：４５〜６：００）の部分を、「長男」により視聴されたことが登録されている。よって、「２００２年１２月２９日」に「長男」が再放送を視聴しているときには、２次情報のうちカテゴリ情報，番組タイトル情報，番組出演者情報，番組内容情報が完全一致しているため、図２のＳ１０において同一と判別され、Ｓ１２において現在視聴している番組が以前視聴した番組である旨の報知が行なわれる。たとえば、「２００２年１１月２９日」に「０〜５０」（すなわち、４：００〜４：５０）の部分が既に視聴されている旨の報知が行なわれる。
【００４７】
次に、「スポーツ」のカテゴリに属する情報として、「２００４年１月２９日」の「２１：００〜２４：００」の時間帯に「４」チャンネルで放送された「２００４ワールドサッカー（Ｉが解説）」を「０〜５０」（すなわち、２１：００〜２１：５０）の部分と「１００〜１８０」（すなわち、２２：４０〜２４：００）の部分とが、「長男」により視聴されたことが登録されている。また、「２００４年２月３日」の「１３：００〜１６：００」の時間帯に「３」チャンネルで放送された「マラソン（Ｘが解説）」を「０〜１８０」（すなわち、１３：００〜１６：００）の全部分が、「母」により視聴されたことが登録されている。
【００４８】
また、「ニュース」のカテゴリに属する情報として、「２００４年１月１６日」の「１８：００〜１８：５０」の時間帯に「２」チャンネルで放送された「ＮＮＮニュース（Ｇ，Ｈがキャスター）」が、「父」により視聴されたことが登録されている。なお、当該「ＮＮＮニュース」について、「２００４年１月１７日」と「２００４年１月１８日」とにも、「父」により視聴されたことが登録されている。
【００４９】
さらに、「料理」のカテゴリに属する情報として、「２００３年８月１３日」の「１４：３０〜１４：４０」の時間帯に「１０」チャンネルで放送された「５分間料理（Ｅ，Ｆが出演）」が、「母」により視聴されたことが登録されている。なお、当該「５分間料理」について、「２００３年８月１４日」と「２００３年８月１５日」とにも、「母」により視聴されたことが登録されている。なお、「スポーツ」「ニュース」「料理」等、同様の番組タイトルであっても、再放送される可能性が少なく、その内容（番組内容情報）が毎回異なる番組の属するカテゴリについては、図１のＳ８において照合を行なう必要がないカテゴリである判定がなされ、照合検索制御が行なわれない。なお、照合検索制御を行ない、過去の履歴情報を参考に報知表示するようにしてもよい。
【００５０】
次に、図４（ｂ）を参照し、２次情報記憶部１３に一時的に記憶される情報について説明する。本実施の形態においては、現在の設定チャンネルの放送波のうち、信号判定部１２により分離された２次情報が、図２のＳ３において２次情報記憶部１３に一時的に記憶される。
【００５１】
２次情報記憶部１３に記憶される情報として、当該番組のカテゴリ，番組タイトル，放送日時，出演者，番組内容についての情報が各々対応付けられて記憶される。これら記憶される情報は、放送波から分離された２次情報に含まれるカテゴリ情報，番組タイトル情報，番組放送日時情報，番組出演者情報，番組内容情報に基づき記憶される。また、２次情報記憶部１３に記憶される情報のうちチャンネルについては、図１のチャンネル切替部１１により切替えられたチャンネルに基づき、そのチャンネル番号が記憶される。以下、具体的に説明する。
【００５２】
現在の設定チャンネルが「８」で、当該チャンネルで放送されている番組のタイトルが「月（Ａ，Ｂ，Ｃ，Ｄが出演）」で、当該番組が「映画」のカテゴリに属し、「２００４年３月５日」の「１：００〜３：００」の時間帯に放送されることが登録されている。
【００５３】
本実施の形態における検索部１６は、２次情報記憶部１３に記憶され制御部１５から入力される２次情報（カテゴリ情報，番組タイトル情報，番組出演者情報，番組内容情報）に基づき、図２のＳ８で当該入力された２次情報のうちカテゴリ情報が照合を行なう必要のあるカテゴリ情報であるか否かを判別し、Ｓ９で当該入力された２次情報のうち番組カテゴリ情報，番組タイトル情報，番組出演者情報，番組内容情報と同一のものが図４（ａ）の視聴履歴記憶部１７に記憶されているか照合することにより、検索を行なう。
【００５４】
図４（ａ）の視聴履歴記憶部１７には、「映画」のカテゴリに属する情報として、「２００２年１０月２９日」の「１４：００〜１６：００」の時間帯に「８」チャンネルで放送された「月（Ａ，Ｂ，Ｃ，Ｄが出演）」を「０〜４５」（すなわち、１４：００〜１４：４５）の部分を、「父」により視聴されたことが登録されている。また、「２００３年２月５日」の「１：００〜３：００」の時間帯に再放送されており、そのときに「４０〜１００」（すなわち、１４：４０〜１５：４０）の部分を、「父」により視聴されたことが登録されている。
【００５５】
よって、検索部１６は、視聴履歴記憶部１７に記憶された履歴メモリに基づく照合検索の結果、既に「父」により視聴されている旨の情報と、「２００２年１０月２９日」に「０〜４５」の部分を視聴した旨の第１視聴部分情報および第１視聴日時情報と、「２００３年２月５日」に「４０〜１００」の部分を視聴した旨の第２視聴部分情報および第２視聴日時情報と、を含む履歴情報有信号を制御部１５に出力する処理が行なわれる。
【００５６】
そして、制御部１５は、現在「父」のより視聴されている「月」が、「２００２年１０月２９日」に「０〜４５」の部分が視聴され、「２００３年２月５日」に「４０〜１００」の部分が視聴されている旨のメッセージをモニターに表示するためのメッセージ出力制御信号をメッセージ出力部１９に出力する。
【００５７】
さらに、メッセージ出力部１９は、１次情報に含まれる映像情報に基づき出力される映像に対して、制御部１５から入力されたメッセージ出力制御信号に基づくメッセージを重ね合わさるためのメッセージ情報を表示部１８に出力する。その結果、表示部１８は、信号判定部１２から入力された映像情報に、メッセージ出力部１９から入力されたメッセージ情報を合成し、モニターに出力することができる。なお、図５を用いて、現在「父」のより視聴されている「月」が、「２００２年１０月２９日」に「０〜４５」の部分が視聴され、「２００３年２月５日」に「４０〜１００」の部分が視聴されている旨のメッセージ情報が、映像情報に合成され、モニターに出力されたときの表示例を説明する。
【００５８】
図５は、映像情報とメッセージ情報とが合成されたときの表示例を説明するための図である。図５に示すように、映像情報に基づいて、当該「月」の番組映像がモニターに表示される。ここでは、月が大きく表示されている。
【００５９】
モニターの左下方に、メッセージ情報に基づくメッセージが表示される。すなわち、メッセージ情報に基づき、「２００２年１０月２９日」と「２００３年２月５日」とに当該番組が既に視聴されていることが報知表示されている。また、視聴部分を帯グラフで報知表示されている。下段の帯グラフにより「０〜４５」部分に相当する「１：００〜１：４５」の部分が「２００２年１０月２９日」の視聴部分であることが報知表示され、上段の帯グラフにより「４０〜１００」部分に相当する「１：４０〜２：４０」の部分が「２００３年２月５日」の視聴部分であることが報知表示されている。なお、帯グラフの上方には、当該番組が「１：００〜３：００」の期間にわたり放送されることが併せて表示されている。また、図４（ａ）の視聴履歴記憶部１７に、「映画」のカテゴリに属する情報として、「２００２年１０月２９日」以前に「８」チャンネルで放送された「月（Ａ，Ｂ，Ｃ，Ｄが出演）」を、「父」により視聴された旨の履歴メモリが２件登録されている場合には、「２００２年１０月２９日」の報知表示の下に、「残り２件」登録されている旨の報知表示が行なわれる。
【００６０】
また、モニターの上方に、現在の番組視聴状態が報知表示されている。モニターの左上方には、現在の視聴日時が「２００４年３月５日」であり、現在の視聴番組タイトルが「月」である旨の報知表示が行なわれている。さらに、モニターの上方中央には、現在の番組進行状況が帯グラフで報知表示されている。すなわち、「月」の番組が始まってから、約３０分経過したことが帯グラフで報知表示されている。モニターの右上方には、設定チャンネルが「８」である旨の報知表示が行なわれている。
【００６１】
図６は、映像情報とメッセージ情報とが合成されたときの他の表示例を説明するための図である。図６では、図５で説明したメッセージが簡略化されている。
【００６２】
モニターの左下方には、メッセージ情報に基づくメッセージが表示される。すなわち、メッセージ情報に基づき、「２００３年２月５日」に当該番組が既に視聴されていることが報知表示されている。そして、それ以前にも、当該番組が３回視聴されていることが報知表示されている。すなわち、直近に当該番組を視聴した日時と、過去の視聴回数とが報知表示されている。また、モニターの左上方には、現在の視聴日時が「２００４年３月５日」であり、現在の視聴番組タイトルが「月」である旨の報知表示が行なわれている。
【００６３】
以上より、視聴された番組の２次情報および視聴部分情報の履歴を視聴者別に履歴メモリとして視聴履歴記憶部１７に記憶し、現在視聴している番組の２次情報が視聴履歴記憶部１７に記憶されているか照合検索を行ない、現在視聴している番組の２次情報が検出された場合に、現在視聴している番組が視聴済みである旨のメッセージ情報を、現在視聴している番組の映像情報に合成し、モニターに出力することができる。これにより、視聴者は、手間取ることなく、視聴中の番組が視聴者自らにより既に視聴済みであることを認識することができる。また、視聴者は、視聴者自ら視聴したことを忘れているときに、誤って同じ番組を再度視聴してしまうことを容易に回避することができる。
【００６４】
また、図５を用いて説明したように、番組放送日時情報と視聴時間とから構成される視聴部分情報に基づき、既に視聴された番組の視聴割合（番組放送時間に対し視聴した時間の割合）・視聴部分を報知表示することができる。すなわち、現在視聴している番組を、全て視聴したのか、部分的に視聴していないのか、どの部分を視聴したのか等について、視聴者に認識させることができる。これにより、視聴者は、たとえば、視聴済みであることを認識したとしても、見残しがあるかもしれないとの不安感に駆られ、結局もう一度視聴してしまうような、部分的に重複して視聴することを防止できる。
【００６５】
また、図２のＳ８で前述したように、現在視聴している番組の属するカテゴリが、照合を行なう必要のあるカテゴリか、照合を行なう必要のないカテゴリかに応じて、Ｓ９以降の照合検索を行なうか否かが決定される。これにより、カテゴリとは無関係にすべての番組について照合検索を行なう場合と比較して、制御部１５が照合検索制御を行なうための処理負担を軽減することができる。
【００６６】
また、図２のＳ１２で前述したように、メッセージ情報は、チャンネルが切替えられてから所定時間経過（たとえば、制御部１５により５分間計時される）後に、表示部１８からモニターに出力する処理が行なわれる。これにより、メッセージ表示は、チャンネルが切替えると同時にモニターに表示されることがないため、チャンネルを切替えるとすぐにメッセージ表示が行なわれることを防止することができる。すなわち、視聴者が視聴したい番組を探しているとき等、視聴者がメッセージ情報を必要としないときに、メッセージ表示が行なわれることを防止することができる。
【００６７】
前述した実施の形態においては、放送波から分離された２次情報と、視聴履歴記憶部１７に記憶された履歴メモリに含まれる２次情報とが一致するか否かの照合検索を行なう例について説明したが、これに限らず、放送局やインターネットを経由して得られるＥＰＧ（Electric Program Guide）データに基づき、現在視聴者が視聴している番組を現在時刻および設定チャンネルから特定し、特定された番組の情報（前記した番組タイトル情報、番組出演者情報、カテゴリ情報、番組内容情報、視聴者情報等）が視聴履歴記憶部１７に記憶されているか否かの照合検索を行なうようにしてもよい。この場合、照合検索を行なう前提として、制御部１５は、視聴した番組の情報を視聴履歴記憶部１７に記憶するようにしてもよい。具体的には、ＥＰＧデータに基づき視聴者が視聴している番組を時刻および設定チャンネルから特定し、当該番組の情報と、当該番組の視聴情報（前記した視聴部分情報、視聴日時情報）を視聴履歴記憶部１７に履歴メモリとして記憶する。
【００６８】
すなわち、放送番組に関する番組情報（番組のタイトルを特定するための番組タイトル情報、番組の放送日時を特定するための番組放送日時情報、番組の出演者を特定するための番組出演者情報、番組の属する種類を特定するためのカテゴリ情報、番組の内容を特定するための番組内容情報、番組が再放送番組であることを特定するための再放送情報等）を受信する放送番組受信部をさらに備え、視聴履歴記憶部は、放送番組受信部により受信された番組情報のうち、視聴された放送番組に関する番組情報を履歴情報として記憶するものであってもよい。さらに、検索部は、放送番組受信部により受信された番組情報のうち、視聴されている放送番組に関する番組情報の一部（番組タイトル情報、番組出演者情報、カテゴリ情報、番組内容情報等）が視聴履歴記憶部に記憶されているかの検索を行なうものであってもよい。これにより、視聴されている放送番組に関する番組情報の一部が検出された場合に、受信中放送番組が視聴済みである旨の情報を、受信中放送番組とともに出力することができるため、視聴者は、手間取ることなく、受信中放送番組が視聴済みであることを認識することができる。また、視聴者は、視聴済みであることを知らずに、誤って再度視聴してしまうことを容易に回避することができる。
【００６９】
前述した実施の形態における放送方式は、地上波データ放送（たとえば、ビットキャスト放送、アダムス放送）等、通常のテレビ放送に文字や画像などの情報を付加した情報サービスを提供できる放送方式であればよい。また、前記したインターネットを介して得られるＥＰＧデータに基づき、照合検索を行なう場合には、１次情報のみを提供できる放送方式であってもよい。
【００７０】
前述した実施の形態においては、図１のＳ７でチャンネルが切替えられたときにＳ４において、経過時間を初期化する例について説明したが、これに限らず、チャンネルが切替えられていなくても、一つの番組が終了する都度、経過時間を初期化する処理を行なうようにしてもよい。
【００７１】
前述した実施の形態においては、図１のＳ８で照合を行なう必要のあるカテゴリと判別されたときに、Ｓ９、Ｓ１０において視聴者の履歴メモリを参照し照合検索を行なう例について説明したが、これに限らず、図１のＳ８で照合を行なう必要のあるカテゴリと判別されたときに当該番組が再放送番組であるか否かを判別し、再放送番組と判別されたときに照合検索を行なうようにしてもよい。また、図１のＳ８で照合を行なう必要のあるカテゴリであるか否かの判別を行なうことなく、当該番組が再放送番組であるか否かを判別し、再放送番組と判別されたときに照合検索を行なうようにしてもよい。この場合、２次情報は、さらに、当該番組が再放送番組であることを特定するための再放送情報を含むように構成してもよい。これにより、再放送番組であるか否かとは無関係にすべての番組について照合検索を行なう場合と比較して、制御部１５が照合検索制御を行なうための処理負担を軽減することができる。
【００７２】
前述した実施の形態においては、図２のＳ２およびＳ７においてチャンネルが切替えられてからの経過時間がＳ６において設定時間以上である判別がなされたときに、照合検索を行ない、メッセージを表示する例について説明したが、これに限らず、チャンネル切替えが行なわれると、照合検索を行ない、メッセージを表示するようにしてもよい。
【００７３】
前述した実施の形態の図５および図６を用いてメッセージ例について説明した。より具体的に、たとえば、照合検索した結果、現在の設定チャンネルの番組が同一視聴者により既に視聴されていると判断されたときであって、チャンネルが切替えられてから所定時間経過した後に、図５で説明した表示例でメッセージを表示し、さらにそのメッセージ表示が行なわれてから予め定められた時間経過した後に、図６の簡略化した表示例でメッセージを表示するようにしてもよい。そして、さらに予め定められた時間経過後に、メッセージ表示を消去するようにしてもよい。また、具体的な他の例としては、視聴者が、図５で説明した表示例か図６で説明した表示例のどちらでメッセージを表示するか、リモートコントローラを操作することにより選択できるように構成してもよい。また、チャンネルが切替えられてから所定時間経過する前であっても、リモートコントローラを操作することにより、照合検索、メッセージ表示を行なうようにしてもよい。
【００７４】
また、前述した実施の形態におけるメッセージの表示例に限らず、少なくとも現在の設定チャンネルの番組が既に視聴されている旨を報知する態様であればどのようなものであってもよい。たとえば、図７に示すメッセージであってもよい。図７で説明するメッセージは、現在の設定チャンネルの番組が既に視聴されているときに表示される。図７（ａ）は、番組の放送時間に対応する帯グラフを前半、中盤、後半に区分し、以前視聴した部分と視聴していない部分とで表示態様（表示色）を区分ごとに異ならせ表示することにより、視聴した旨および視聴部分を報知するメッセージ例である。図７（ｂ）は、放送された番組を視聴した部分・時間を矢印マークで報知するメッセージ例である。なお、ここでは、矢印マークの中に「全て視聴済み」や「○○から△△まで視聴済み」といった視聴部分
を詳細に報知するメッセージが併せて表示されている。
【００７５】
前述した実施形態においては、図１のＳ１において視聴者がリモートコントローラを操作し設定した視聴者情報を取得し、Ｓ１０において視聴履歴記憶部１７に記憶されている履歴メモリであって視聴者情報から特定される視聴者に対応するすべての履歴メモリを対象に照合検索を行なう例について説明したが、これに限らず、視聴者が視聴者情報を設定しなかったときに、視聴履歴記憶部１７に記憶されているすべての履歴メモリを対象に照合検索を行なうようにしてもよい。そして、照合検索の結果、現在の設定チャンネルの番組が既に視聴されていると判断したときに、前述したメッセージを表示するとともに、当該番組を視聴していた視聴者を報知表示するようにしてもよい。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本実施の形態におけるテレビジョン受信機の内部構成例を説明するための図である。
【図２】本実施の形態によるテレビジョン受信機の制御動作を説明するためのフローチャートである。
【図３】本実施の形態によるテレビジョン受信機の制御動作を説明するためのフローチャートである。
【図４】本実施の形態による視聴履歴記憶部および２次情報記憶部に記憶される情報を説明するための図である。
【図５】映像情報とメッセージ情報とが合成されたときの表示例を説明するための図である。
【図６】映像情報とメッセージ情報とが合成されたときの他の表示例を説明するための図である。
【図７】本実施の形態によるメッセージの表示例を説明するための図である。
【符号の説明】
【００７８】
１  テレビジョン受信機、１０  放送番組受信部、１１  チャンネル切替部、１２  信号判定部、１３  ２次情報記憶部、１４  視聴者情報管理部、１５  制御部、１６  検索部、１７  視聴履歴記憶部、１８  表示部、１９  メッセージ出力部。
【図１】
2005286365.tif 000003
【図２】
2005286365.tif 000004
【図３】
2005286365.tif 000005
【図４】
2005286365.tif 000006
【図５】
2005286365.tif 000007
【図６】
2005286365.tif 000008
【図７】
2005286365.tif 000009